(57)【特許請求の範囲】
【請求項１】
高圧ガス貯留部から高圧ガスを噴射するためのガス噴射ノズルであって、
噴射装置に接続された第１ノズルの先端部に着脱式の第２ノズルが取り付けられ、
上記第２ノズルは、外ノズルと、上記外ノズルに内嵌する内ノズルとから構成され、
上記高圧ガス貯留部と連通されることにより高圧ガスを噴出させる噴出口と、
上記噴出口から噴出された高圧ガスをターゲットに向けて案内するとともに先端開口から噴射させる噴射路と、
上記噴出口から噴出された高圧ガスに大気を吸引する大気吸引部とを備え、
内ノズル先端の噴出口が、外ノズル内周面の先細り状となった位置に配置されていることを特徴とするガス噴射ノズル。
【請求項２】
上記大気吸引部には、高圧ガスの噴射方向に対して複数の大気導入口が並列状に設けられている請求項１記載のガス噴射ノズル。
【発明の詳細な説明】
【技術分野】
【０００１】
本発明は、ボンベ内に充填された高圧ガスを噴出するためのガス噴射ノズルに関するものである。
【背景技術】
【０００２】
従来から、精密機器や写真のネガ等に付着した塵埃を吹き飛ばすダストブロワーが広く用いられている。このようなダストブロワー製品は、一般にエアゾールタイプのスプレー缶内に噴射剤として液化ガスが高圧下で充填されて形成され、スプレー缶の頂部にバルブを開閉操作する噴出釦を兼ねたノズルが設けられ、ノズルの一端には細部にガスを噴出させるための吹き出し用チューブが接続されている。そして、噴出釦を押すことにより缶内で気化しているガスが開口したバルブを通り、ノズルに連接されたチューブより噴出されるようになっている。
【０００３】
このようなエアゾールタイプのダストブロワーにおいて、噴射剤として用いられる液化ガスは、代替フロンとしてＨＦＣ（ハイドロフルオロカーボン）１３４ａやＨＦＣ１５２ａ、あるいはＤＭＥ（ジメチルエーテル）等が用いられており、スプレー缶内において高圧下で液状に保存されていた。
【０００４】
ところが、上記ＨＦＣは、大気中に放出されると温室効果を招くことから、気候変動枠組条約の目的を達成するために採択された京都議定書においても排出量が規制される温室効果ガスとして挙げられ、また産業界全体でも排出削減が推進されている。例えば、ＨＦＣ１３４ａの温室効果は二酸化炭素の１３００倍であり、ＨＦＣ１５２ａでも二酸化炭素の１４０倍の温室効果があることから、ＨＦＣ製品の使用から他の圧縮ガスを用いた製品へ切り換えていくことが望まれている。また、ＤＭＥは、温暖化係数は小さいものの、ＨＦＣ１５２ａとともに可燃性のガスであり、電子基盤に代表されるような不燃性を必要とする用途では使用することができない。
【０００５】
そこで、ＨＦＣに替えて炭酸ガスや窒素ガス等を液化して充填した高圧液化ガスボンベを使用したダストブロワー製品も提案されている。
【特許文献１】特開２００５−２４９１９２号
【発明の開示】
【発明が解決しようとする課題】
【０００６】
しかしながら、上記高圧液化ガスボンベタイプのダストブロワーでは、不燃性で温暖化係数の少ないガスを使用することができるものの、高圧であるがためにボンベ自体が高価であるうえ、比較的短期間にボンベ内のガスを消費しきってしまうという問題がある。このため、高価なボンベを頻繁に交換しなければならず、交換の手間が面倒であるだけでなく、コスト的にも高くつくという問題があった。また、ボンベの寿命を長期化するため、高圧ガスを減圧しながら噴射する減圧機構を設けた製品も提案されているが、複雑な減圧機構が必要となるため、装置自体が大型化し高価なものとなるという欠点がある。
【０００７】
本発明は、このような事情に鑑みなされたもので、比較的簡素な機構で長期間にわたって高圧ガスを噴出することができるガス噴射ノズルの提供を目的とする。
【課題を解決するための手段】
【０００８】
上記目的を達成するため、本発明のガス噴射ノズルは、高圧ガス貯留部から高圧ガスを噴射するためのガス噴射ノズルであって、
噴射装置に接続された第１ノズルの先端部に着脱式の第２ノズルが取り付けられ、
上記第２ノズルは、外ノズルと、上記外ノズルに内嵌する内ノズルとから構成され、
上記高圧ガス貯留部と連通されることにより高圧ガスを噴出させる噴出口と、
上記噴出口から噴出された高圧ガスをターゲットに向けて案内するとともに先端開口から噴射させる噴射路と、
上記噴出口から噴出された高圧ガスに大気を吸引する大気吸引部とを備え、
内ノズル先端の噴出口が、外ノズル内周面の先細り状となった位置に配置されていることを要旨とする。
【発明の効果】
【０００９】
すなわち、本発明のガス噴射ノズルは、上記噴出口から噴出された高圧ガスに大気を吸引する大気吸引部を備えていることから、高圧ガス貯留部の高圧ガスが噴出口から噴出されたときに、大気吸引部から大気が吸引され、高圧ガスと大気が混合された混合ガスとなって噴射路を通過し、流量の大きな噴射ガスとなって先端開口から噴射される。このため、噴出口から噴出する高圧ガスの流量を従来より小さくしても大気が混合された混合ガスとなって噴射される。このように、大気との混合ガスが噴射されることから、従来と同等以上の噴射流量を維持しつつ高圧ガスの噴射量を大幅に低減することができる。したがって、高圧ガス貯留部の交換頻度を大幅に低下させ、交換の手間を低減するだけでなく、コストも大幅に低減することができる。また、従来のような複雑な減圧機構が不要であり、装置自体を大型化することなく安価で簡素な機構により高圧ガス貯留部の寿命延長を実現することができるのである。
【００１０】
また、長い第１ノズルの先端に着脱式の第２ノズルを取り付けることにより、容易に高圧ガスの節約モードの使用状態に切り換えることができる。また、内ノズル先端の噴出口が、外ノズル内周面の先細り状となった位置に配置されているため、噴出口から噴出された高圧ガスの流速がその部分で速くなるため、大気の吸引効果が大きい。
【００１１】
本発明において、上記大気吸引部には、高圧ガスの噴射方向に対して複数の大気導入口が並列状に設けられている場合には、並列状の複数の大気導入口から大気が吸引されて高圧ガスと大気の混合ガスとなり、より流量の大きな噴射ガスとなって噴射されることから、従来と同等以上の噴射流量を確保しつつ高圧ガスの消費量をさらに低減することができる。
【発明を実施するための最良の形態】
【００１２】
図１は、図８に示す本発明の一実施の形態のガス噴出ノズル１が適用されるダストブロアー１０を示す斜視図である。
【００１３】
このダストブロアー１０は、高圧ガス貯留部としての高圧ガスボンベ１２が収容された外ケース１１と、上記外ケース１１の上部に取り付けられて高圧ガスボンベ１２内の高圧ガスを噴出させるための弁機構（図示せず）を備えた噴射装置１３と、上記噴射装置１３の上面に設けられて押圧操作により上記弁機構を開閉する噴射ボタン１４とを備えて構成されている。そして、上記噴射装置１３の前面に、高圧ガスボンベ１２から高圧ガスを噴射するための本発明のガス噴射ノズル１が取り付けられて構成されている。
【００１４】
上記高圧ガスボンベ１２に充填される高圧ガスとしては、臨界温度３０度Ｋ〜４３０度Ｋのものが好ましく用いられる。また、高圧ガスボンベ１２には、高圧に圧縮された圧縮ガスを充填した状態で使用することもできるし、液化した液化ガスを充填した状態で使用することもできる。液化ガスの場合は、常用温度において圧力が０．２ＭＰａ以上であるものが好適に用いられる。
【００１５】
上記高圧ガスボンベ１２に充填される高圧ガスとしては、例えば、窒素、ヘリウム、炭酸ガス、空気等を好適に用いることができる。また、本発明は、上記高圧ガスとしてＨＦＣ−１３４ａ，ＨＦＣ−１５２ａ，ジメチルエーテル等を使用することを排除する趣旨ではなく、これらのガスを用いても同様の作用効果を奏するものである。
【００１６】
図２は、第１参考形態を示す断面図である。
【００１７】
このガス噴射ノズル１は、上記高圧ガスボンベ１２と連通されることにより高圧ガスを噴出させる噴出口２と、上記噴出口２から噴出された高圧ガスをターゲットに向けて案内するとともに先端開口４から噴射させる噴射路３と、上記噴出口２から噴出された高圧ガスに大気を吸引する大気吸引部５とを備えている。
【００１８】
より詳しく説明すると、上記ガス噴射ノズル１は、上記噴射装置１３の上面に設けられた噴射ボタン１４を押圧操作することにより、噴射装置１３に内蔵された弁機構が開閉されて高圧ガスボンベ１２と連通され、噴出口２から高圧ガスを噴出させるようになっている。
【００１９】
上記ガス噴射ノズル１は、先端に上記噴出口２が開口した第１ノズル７と、上記第１ノズル７の先端側を覆うとともに、上記噴出口２の前方に延びる第２ノズル９とから構成されている。
【００２０】
上記第１ノズル７は、弁機構と連通する連通管１６が後方に延び、上記弁機構を介して連通管１６を通し高圧ガスボンベ１２から噴出される高圧ガスを前方（図示で右方向）に噴出させる上記噴出口２が先端に開口している。
【００２１】
上記第２ノズル９は、上記第１ノズル７の先端部の外周を囲う大気吸引部５と、上記大気吸引部５から前方に延びるノズル管８とから構成されている。上記大気吸引部５は、周壁に大気を導入するための大気導入口６が形成されることにより、上記噴出口２から噴出された高圧ガスに大気を吸引して高圧ガスと混合し、高圧ガスと大気との混合ガスとしてノズル管８から前方に噴射するようになっている。
【００２２】
上記のような構成により、高圧ガスボンベ１２の高圧ガスが噴出口２から噴出されたときに、噴出流周辺の気圧が低下し、大気導入口６から大気吸引部５内に大気が吸引される。そして、大気吸引部５内の空間において噴出された高圧ガスと吸引された大気とが混合され、混合ガスとなって噴射路３を通過し、流量の大きな噴射ガスとなって先端開口４から噴射される。
【００２３】
このため、噴出口２から噴出する高圧ガスの流量を従来より小さくしても大気が混合された混合ガスとなって噴射され、使用した高圧ガスの本来の流量が大気により大幅に増量されることとなる。これにより、従来と同等以上の噴射流量を確保しつつ高圧ガスの消費量をさらに低減することができる。したがって、高圧ガスボンベ１２の交換頻度を大幅に低下させ、交換の手間を低減するだけでなく、コストも大幅に低減することができる。また、従来のような複雑な減圧機構が不要であり、装置自体を大型化することなく安価で簡素な機構により高圧ガスボンベ１２の寿命延長を実現することができるのである。
【００２４】
図３は、第２参考形態を示す断面図である。
【００２５】
この例では、上記大気吸引部５には、上記噴出口２よりも後方に大気導入口６ａが設けられるとともに、噴出口２よりも前方に大気導入口６ｂが設けられている。また、この例では、噴出口２よりも後方の大気導入口６ａと噴出口２よりも前方の大気導入口６ｂがそれぞれ１つづつ、周方向において反対側に配置されている。なお、噴出口２よりも後方の大気導入口６ａと噴出口２よりも前方の大気導入口６ｂをそれぞれ複数、周方向において交互に配置するようにしてもよい。それ以外は、上記第１参考形態と同様であり、同様の部分には同じ符号を付している。
【００２６】
この形態では、上記大気吸引部５には、上記噴出口２よりも後方に大気導入口６ａが設けられるとともに、噴出口２よりも前方に大気導入口６ｂが設けられているため、噴出口２の後方に設けられた大気導入口６ａから大気が吸引されて高圧ガスと大気の混合ガスとなって噴射路３に導入されるときに、さらに噴出口２よりも前方に設けられた大気導入口６ｂから大気が吸引されて上記混合ガスに混合され、より流量の大きな噴射ガスとなって噴射されることから、従来と同等以上の噴射流量を確保しつつ高圧ガスの消費量をさらに低減することができる。
【００２７】
また、噴出口２よりも後方の大気導入口６ａと噴出口２よりも前方の大気導入口６ｂがそれぞれ１つづつ、周方向において反対側に配置したことにより、前後の大気導入口６ａ，６ｂが大気吸引部５に対して周方向で均等に配置されることとなり、大気吸引部５内の空間の圧力が均等化し、高圧ガスと大気がより均等に混合されて噴射される。なお、噴出口２よりも後方の大気導入口６ａと噴出口２よりも前方の大気導入口６ｂをそれぞれ複数、周方向において交互に配置した場合も同様である。それ以外は、上記第１参考形態と同様の作用効果を奏する。
【００２８】
図４は、第３参考形態を示す断面図である。
【００２９】
この例では、上記大気吸引部５には、高圧ガスの噴射方向に対して複数の大気導入口６が並列状に設けられている。さらにこの例では、複数の大気導入口６が大気吸引部５に対して周方向で均等に配置されている。それ以外は、上記第１参考形態と同様であり、同様の部分には同じ符号を付している。
【００３０】
このように、上記大気吸引部５には、高圧ガスの噴射方向に対して複数の大気導入口６が並列状に設けられているため、並列状の複数の大気導入口６から大気が吸引されて高圧ガスと大気の混合ガスとなり、より流量の大きな噴射ガスとなって噴射されることから、従来と同等以上の噴射流量を確保しつつ高圧ガスの消費量をさらに低減することができる。また、複数の大気導入口６を大気吸引部５に対して周方向で均等に配置したことにより、各大気導入口６が大気吸引部５に対して周方向で均等に配置されることとなり、大気吸引部５内の空間の圧力が均等化し、高圧ガスと大気がより均等に混合されて噴射される。それ以外は、上記各参考形態と同様の作用効果を奏する。
【００３１】
図５は、第４参考形態を示す断面図である。
【００３２】
この例では、上記大気吸引部５には、上記噴出口２よりも後方に高圧ガスの噴射方向に対して複数の大気導入口６ａが並列状に設けられるとともに、上記噴出口２よりも前方に高圧ガスの噴射方向に対して複数の大気導入口６ｂが並列状に設けられている。また、後方の複数の大気導入口６ａは大気吸引部５に対して周方向で均等に配置されるとともに、前方の複数の大気導入口６ｂも大気吸引部５に対して周方向で均等に配置されている。それ以外は、上記第１参考形態と同様であり、同様の部分には同じ符号を付している。
【００３３】
噴出口２の後方に設けられた複数の大気導入口６ａから大気が吸引されて高圧ガスと大気の混合ガスとなって噴射路３に導入されるときに、さらに噴出口２よりも前方に設けられた複数の大気導入口６ｂから大気が吸引されて上記混合ガスに混合され、より流量の大きな噴射ガスとなって噴射されることから、従来と同等以上の噴射流量を確保しつつ高圧ガスの消費量をさらに低減することができる。また、後方の大気導入口６ａ，６ａを大気吸引部５に対して周方向で均等に配置するとともに、前方の大気導入口６ｂ，６ｂを大気吸引部５に対して周方向で均等に配置したことにより、前後の大気導入口６ａ，６ｂがそれぞれ大気吸引部５に対して周方向で均等に配置されることとなり、大気吸引部５内の空間の圧力が均等化し、高圧ガスと大気がより均等に混合されて噴射される。それ以外は、上記各形態と同様の作用効果を奏する。
【００３４】
図６は、第５参考形態を示す断面図である。
【００３５】
この例は、第１ノズル７の噴出口２の前面に、上下に凸状の流線を有する流線体１７が配置され、上記流線体１７の上下の凸面部に対面する位置に大気導入口６ｂが配置されている。なお、この例では、噴出口２の後方に大気導入口６ａを設けているが、噴出口２の後方には大気導入口６ａを設けないようにすることもできる。それ以外は、上記第１参考形態と同様であり、同様の部分には同じ符号を付している。
【００３６】
この形態では、噴出口２の後方に設けられた大気導入口６ａから大気が吸引されて高圧ガスと大気の混合ガスとなって噴射路３に導入されるときに、さらに噴出口２よりも前方に設けられた流線体１７の上下の凸面部を噴流が通過するときに凸面部の近傍の気圧が下がり、上下の大気導入口６ｂから大気が吸引されて上記混合ガスに混合され、より流量の大きな噴射ガスとなって噴射されることから、従来と同等以上の噴射流量を確保しつつ高圧ガスの消費量をさらに低減することができる。それ以外は、上記各参考形態と同様の作用効果を奏する。
【００３７】
図７は、第６参考形態を示す断面図である。
【００３８】
この例では、噴射装置１３に第１ノズル７が接続され、この第１ノズル７の先端部に第２ノズル９が取り付けられて構成されている。
【００３９】
上記第１ノズル７は、その後端側が、噴射装置１３に差し込まれて弁機構と連通する連通管１６として機能する。そして、根元側から先端側に向かって流路１８の内径が徐々に広くなるとともに、先端部には、先端側の流路１８内径よりも小径の噴出口２が形成されている。
【００４０】
なお、この例では、根元側から先端側に向かって流路１８の内径が徐々に広くなるように形成したものを示したが、流路１８は先端に向かって徐々に狭くなるようにしてもよいし、流路１８の内径を長手方向で同じになるように形成してもよい。
【００４１】
一方、上記第２ノズル９は、根元側において第１ノズル７の先端部に取り付けられ、先端に先端開口４が形成されている。第２ノズル９の根元側には先窄まり状部が形成されるとともに、先窄まり状の最も括れた部分を境に先端側が先広がり状に形成されている。
【００４２】
上記第２ノズル９の根元側には、その内面における断面で十字を形成する位置に、第１ノズル７の外周面に嵌合する取付け板１９が配置されている。上記取付け板１９は、例えばゴム等の弾性材料や精密嵌合しうる樹脂から形成されることにより、第２ノズル９を摩擦力で第１ノズル７に取り付け可能にするとともに、外径太さの多少異なる第１ノズル７に対しても第２ノズル９が取り付け可能になっている。
【００４３】
なお、この例では、取付け板１９を内面における断面で十字を形成する位置に設けた例を示したが、これに限定するものではなく、３箇所もしくは５箇所以上の箇所に設けてもよい。この場合、取付け板１９は放射状を呈するように形成するのが好ましい。
【００４４】
そして、第２ノズル９を第１ノズル７の先端部に取り付けた状態で、第１ノズル７の噴出口２が、第２ノズル９の括れ位置近傍に配置されるように構成されている。この例では、第１ノズル７の噴出口２は、第２ノズル９の括れ位置より若干根元側の位置に配置されている。言い換えれば、上記第２ノズル９は、第１ノズル７の先端部に取り付けられた状態で、第１ノズル７先端の噴出口２の近傍位置までは先窄まり状に形成され、それより先端側は先広がり状に形成されている。
【００４５】
そして、上記ガス噴射ノズル１において、第２ノズル９の後端開口が大気導入口６として機能し、取付け板１９の間の空間が導入された大気の流路に形成されるようになっている。これにより、高圧ガスボンベ１２の高圧ガスが噴出口２から噴出されて噴出流が第２ノズル９の括れ部分を通過するときに、括れ部近傍に生じる噴出流周辺の気圧が低下し、大気導入口６から大気吸引部５内に大気が吸引される。そして、噴出口２から噴出された高圧ガスと吸引された大気とが混合され、混合ガスとなって噴射路３を通過し、流量の大きな噴射ガスとなって先端開口４から噴射される。
【００４６】
この例では、長い第１ノズル７の先端に着脱式の第２ノズル９を取り付けることにより、容易に高圧ガスの節約モードの使用状態に切り換えることができる。また、第２ノズル９の噴射路３が先広がり状になっているため、ダストブロアーに適用した場合に大きな風量で効率的にダストを飛ばすことができる。さらに、噴出口２が第２ノズル９の括れ位置より若干根元側の位置に配置され、噴出口２からの噴出流が括れ部近傍に生じることから、周辺の気圧低下による大気導入口６からの大気吸引効果に優れ、大きな風量の混合ガスを先端開口から噴射し、ダストブロアーに適用した場合に効率的にダストを飛ばすことができる。また、第２ノズル９が括れ部を有する略筒状に形成され、筒状の後端開口が大気導入口６として機能しているため、大気吸引がスムーズに行われる。また、第２ノズル９が括れ部を有する略筒状に形成され、比較的シンプルな形状なために成形が容易でコスト面で有利である。
【００４７】
上記図７に示すガス噴出ノズル１を用いて、ガス噴出試験を行った。
【００４８】
噴出口２の開口寸法をφ０．９ｍｍとし、噴出ガスの流量を１１ＮＬ／ｍｉｎ、２２ＮＬ／ｍｉｎ、３３ＮＬ／ｍｉｎと変化させて、第２ノズル９を取り付けないときと取り付けたときとのノズル先端流量を測定した。
【００４９】
第２ノズル９を取り付けないときのノズル先端流量は、噴出ガスの流量と同じ１１ＮＬ／ｍｉｎ、２２ＮＬ／ｍｉｎ、３３ＮＬ／ｍｉｎであったのに対し、第２ノズル９を取り付けると、１１ＮＬ／ｍｉｎ→３２ＮＬ／ｍｉｎ、２２ＮＬ／ｍｉｎ→５６ＮＬ／ｍｉｎ、３３ＮＬ／ｍｉｎ→７４ＮＬ／ｍｉｎに流量アップした。それぞれの流量増加率は、２９１％、２５５％、２２４％であった。
【００５０】
図８は、本発明のガス噴射ノズル１の一実施形態を示す断面図である。
【００５１】
この例は、噴射装置（図示せず）に接続された第１ノズル７の先端部に第２ノズル９が取り付けられ、上記第２ノズル９が２つのパーツから構成された例である。
【００５２】
上記第２ノズル９は、外ノズル２０と、上記外ノズル２０に内嵌する内ノズル２１とから構成されている。上記外ノズル２０は、概略円筒状で先端側が徐々に細くなっており、先端部の通路が本発明の噴射路３として機能する。上記内ノズル２１は、概略円筒状で、外周面に上記外ノズル２０の内周面に嵌合する取付け板１９が形成されている。
【００５３】
この例では、上記取付け板１９は、断面で十字を形成する位置に設けた例を示しているが、これに限定するものではなく、３箇所もしくは５箇所以上の箇所に設けてもよい。この場合、取付け板１９は放射状を呈するように形成するのが好ましい。
【００５４】
上記取付け板１９で外ノズル２０と内ノズル２１との間に隙間が形成され、この隙間から大気が導入されるようになっている。すなわち、外ノズル２０の後端開口が大気導入口６として機能し、取付け板１９の間の空間が導入された大気の流路に形成されるようになっている。
【００５５】
そして、上記内ノズル２１の後部開口に対して第１ノズル７の先端部が差し込まれることにより第２ノズル９が取り付けられ、内ノズル２１の先端開口が、上記高圧ガスボンベと連通されることにより高圧ガスを噴出させる噴出口２として機能する。
【００５６】
これにより、高圧ガスボンベの高圧ガスが噴出口２から噴出されて噴出流が第２ノズル９の噴射路３を通過するときに周辺の気圧が低下し、大気導入口６から大気吸引部５内に大気が吸引される。そして、噴出口２から噴出された高圧ガスと吸引された大気とが混合され、混合ガスとなって噴射路３を通過し、流量の大きな噴射ガスとなって先端開口４から噴射される。
【００５７】
この例では、長い第１ノズル７の先端に着脱式の第２ノズル９を取り付けることにより、容易に高圧ガスの節約モードの使用状態に切り換えることができる。また、内ノズル２１先端の噴出口２が、外ノズル２０内周面の先細り状となった位置に配置されているため、噴出口２から噴出された高圧ガスの流速がその部分で速くなるため、大気の吸引効果が大きい。
【００５９】
なお、上記各形態において、噴出させる高圧ガスとしては、特に限定するものではなく、圧縮ガスと液体等の流体の混合物等、各種の流体を適用することができる趣旨である。
【００６０】
また、本発明のガス噴出ノズルを適用できる製品としては、ダストブロアー１０に限定するものではなく、高圧ガスを噴出する各種の製品に適用することが可能である。また、高圧ガスボンベ１２を使用するものだけでなく、エアゾール製品にも適用可能である。
【図面の簡単な説明】
【００６１】
【図１】本発明が適用されるガスブロアーの一例を示す斜視図である。
【図２】第１参考形態のガス噴出ノズルを示す断面図である。
【図３】第２参考形態のガス噴出ノズルを示す断面図である。
【図４】第３参考形態のガス噴出ノズルを示す断面図である。
【図５】第４参考形態のガス噴出ノズルを示す断面図である。
【図６】第５参考形態のガス噴出ノズルを示す断面図である。
【図７】第６参考形態のガス噴出ノズルを示す断面図である。
【図８】本発明の一実施形態のガス噴出ノズルを示す断面図である。
【符号の説明】
【００６２】
１：ガス噴射ノズル
２：噴出口
３：噴射路
４：先端開口
５：大気吸引部
６：大気導入口
６ａ：大気導入口
６ｂ：大気導入口
７：第１ノズル
８：ノズル管
９：第２ノズル
１０：ダストブロアー
１１：外ケース
１２：高圧ガスボンベ
１３：噴射装置
１４：噴射ボタン
１６：連通管
１７：流線体
１８：流路
１９：取付け板
２０：外ノズル
２１：内ノズル
【図１】
0005400359.tif 000002
【図２】
0005400359.tif 000003
【図３】
0005400359.tif 000004
【図４】
0005400359.tif 000005
【図５】
0005400359.tif 000006
【図６】
0005400359.tif 000007
【図７】
0005400359.tif 000008
【図８】
0005400359.tif 000009